(57)【要約】【課題】通報情報を通知すべきエリア内に存在する電子装置に適切に通報動作を実行させる。【解決手段】携帯電話機４００は、自装置の位置情報を取得する位置情報取得部４５８と、基地局装置から送信された通報情報及び該通報情報を通知すべき位置範囲を示す通報エリア情報を含む通報信号を受信するメッセージ受信部４６０とを備える。また、携帯電話機４００は、受信された通報信号の通報エリア情報に、位置情報取得部４５８で取得された位置情報が含まれるか否かを判定する通報フィルタリング部を備える。通報フィルタリング部は、通報エリア情報に位置情報取得部４５８で取得された位置情報が含まれると判定されたら、表示制御部４５２によって通報情報を表示させるか、又はアラーム鳴動部４５４によってアラーム音を出力し携帯電話機４００を振動させる。【選択図】図４
2012244472.tif 000002
【特許請求の範囲】
【請求項１】
自装置の位置情報を取得する取得部と、
基地局装置から送信された通報情報及び該通報情報を通知すべき位置範囲を示す通報エリア情報を含む通報信号を受信する受信部と、
前記受信部によって受信された通報信号の通報エリア情報に、前記取得部で取得された位置情報が含まれるか否かを判定する判定部と、
前記判定部によって前記通報エリア情報に前記取得部で取得された位置情報が含まれると判定されたら、前記通報情報に応じた処理を実行させる実行制御部と
を備えたことを特徴とする電子装置。
【請求項２】
前記実行制御部は、前記判定部によって前記通報エリア情報に前記取得部で取得された位置情報が含まれると判定されたら、前記通報情報に応じた処理として、前記通報情報を表示部に表示させるか、アラーム音を出力させるか、又は自装置を振動させる
ことを特徴とする請求項１に記載の電子装置。
【請求項３】
前記実行制御部は、前記通報エリア情報に対応するエリアを示す情報を表示部に表示させることを特徴とする請求項２に記載の電子装置。
【請求項４】
電子装置に通知すべき通報情報及び該通報情報を通知すべき位置範囲を示す通報エリア情報を含む通報信号を受信する受信部、
前記受信部によって受信された通報信号を自装置に隣接する基地局に転送する転送部、及び
前記受信部によって受信された通報信号を自装置との通信対象となる電子装置にブロードキャストする送信部、
を備えた基地局装置と、
自装置の位置情報を取得する取得部、
前記送信部によってブロードキャストされた通報信号を受信する受信部、
前記受信部によって受信された通報信号の通報エリア情報に、前記取得部で取得された位置情報が含まれるか否かを判定する判定部、及び
前記判定部によって前記通報エリア情報に前記取得部で取得された位置情報が含まれると判定されたら、前記通報情報に応じた処理を実行させる実行制御部
を備えた電子装置と
を備えたことを特徴とする通報システム。
【請求項５】
電子装置に通知すべき通報情報及び該通報情報を通知すべき位置範囲を示す通報エリア情報を含む通報信号を受信する受信部、及び
前記受信部によって受信された通報信号の通報エリア情報に基づいて、前記通報信号を転送すべき第１の基地局装置及び該第１の基地局装置に隣接する第２の基地局装置に前記通報信号を転送する転送部
を備えたセンタ装置と、
前記転送部によって転送された通報信号を受信する受信部、及び
前記受信部によって受信された通報信号を自装置との通信対象となる電子装置にブロードキャストする送信部、
を備えた基地局装置と、
自装置の位置情報を取得する取得部、
前記送信部によってブロードキャストされた通報信号を受信する受信部、
前記受信部によって受信された通報信号の通報エリア情報に、前記取得部で取得された位置情報が含まれるか否かを判定する判定部、及び
前記判定部によって前記通報エリア情報に前記取得部で取得された位置情報が含まれると判定されたら、前記通報情報に応じた処理を実行させる実行制御部
を備えた電子装置と
を備えたことを特徴とする通報システム。
【請求項６】
電子装置に、
基地局装置から送信された通報情報及び該通報情報を通知すべき位置範囲を示す通報エリア情報を含む通報信号を受信し、
自装置の位置情報を取得し、
前記受信された通報信号の通報エリア情報に、前記取得された位置情報が含まれるか否かを判定し、
前記通報エリア情報に前記取得された位置情報が含まれると判定されたら、前記通報情報に応じた処理を実行させる
処理を実行させることを特徴とする通報制御プログラム。
【発明の詳細な説明】
【技術分野】
【０００１】
本発明は、電子装置、通報システム、及び通報制御プログラムに関する。
【背景技術】
【０００２】
従来、携帯電話機などの電子装置に地震速報などの通報情報を通知する場合には、例えばＣＢＳ（Cell Broadcast Service）を利用したエリアメール（登録商標）が運用されている。エリアメールでは、各地に点在する複数の基地局のうち電子装置に緊急通報情報を通知すべき基地局が指定され、指定された基地局は、自基地局と通信を行っている電子装置に対して緊急通報情報をブロードキャストする。
【０００３】
また、従来、複数の基地局それぞれに固有番号又は記号を持たせ、例えば基地局毎に異なる地震到来時刻などの緊急通報情報を対応する各基地局に発信することにより、各基地局のカバーエリア内の電子装置に的確な緊急通報情報を通知することが知られている。
【先行技術文献】
【特許文献】
【０００４】
【特許文献１】特開２００９−１８２９２９号公報
【発明の概要】
【発明が解決しようとする課題】
【０００５】
しかしながら、上記先行技術文献に開示されている技術は、緊急通報情報をブロードキャストする基地局のカバーエリア内に位置する電子装置において適切に緊急通報動作が実行されないおそれがある。
【０００６】
例えば、緊急通報情報をブロードキャストする基地局Ａと、緊急通報情報をブロードキャストしない他の基地局Ｂとが隣接しており、基地局Ａ，Ｂのカバーエリアの重複する場所に電子装置が位置する場合を考える。この場合、電子装置の通信対象の基地局が基地局Ｂに設定されている際には、電子装置は基地局Ａのカバーエリア内に位置しているにも関わらず、基地局Ａからブロードキャストされた緊急通報情報を受信できないおそれがある。
【０００７】
開示の技術は、上記に鑑みてなされたものであって、緊急通報情報等の通報情報を通知すべきエリア内に存在する電子装置に、適切に通報動作を実行させることができる電子装置、通報システム、及び通報制御プログラムを実現することを目的とする。
【課題を解決するための手段】
【０００８】
本願の開示する電子装置は、一つの態様において、自装置の位置情報を取得する取得部を備える。また、電子装置は、基地局装置から送信された通報情報及び該通報情報を通知すべき位置範囲を示す通報エリア情報を含む通報信号を受信する受信部を備える。また、電子装置は、前記受信部によって受信された通報信号の通報エリア情報に、前記取得部で取得された位置情報が含まれるか否かを判定する判定部を備える。また、電子装置は、前記判定部によって前記通報エリア情報に前記取得部で取得された位置情報が含まれると判定されたら、前記通報情報に応じた処理を実行させる実行制御部を備える。
【発明の効果】
【０００９】
本願の開示する電子装置の一つの態様によれば、通報情報を通知すべきエリア内に存在する電子装置に、適切に通報動作を実行させることができる。
【図面の簡単な説明】
【００１０】
【図１】図１は、通報システムの一例である緊急通報システムの全体構成及び動作の概要を示す図である。
【図２】図２は、緊急通報信号のフォーマットの一例を示す図である。
【図３】図３は、携帯電話機のハードウェア構成を示す図である。
【図４】図４は、携帯電話機の機能ブロックを示す図である。
【図５】図５は、基地局のハードウェア構成を示す図である。
【図６】図６は、基地局の機能ブロックを示す図である。
【図７】図７は、位置管理テーブルの一例を示す図である。
【図８】図８は、緊急通報システムのフローチャートを示す図である。
【図９】図９は、緊急通報システムの全体構成及び動作の概要を示す図である。
【図１０】図１０は、エリアメールセンタのハードウェア構成を示す図である。
【図１１】図１１は、エリアメールセンタの機能ブロックを示す図である。
【図１２】図１２は、緊急通報システムのフローチャートを示す図である。
【発明を実施するための形態】
【００１１】
以下に、本願の開示する電子装置、基地局装置、通報システム、及び通報制御プログラムの実施例を図面に基づいて詳細に説明する。なお、この実施例により開示技術が限定されるものではない。例えば、以下の実施例では、電子装置の一例として携帯電話機を挙げて説明するが、これに限らず、通信機能を備えた電子装置であればよい。
【実施例１】
【００１２】
図１は、通報システムの一例である緊急通報システムの全体構成及び動作の概要を示す図である。図１に示すように、緊急通報システム５００は、基地局３００Ａと、基地局３００Ｂと、基地局３００Ｃと、携帯電話機４００とを備える。本実施例は、気象庁サーバ１００から送信される緊急通報信号１５０を受信したエリアメールセンタ２００が、基地局３００Ａにのみ緊急通報信号１５０を転送する場合の一例を示す。つまり、本実施例は、基地局３００Ａのカバーエリアが緊急通報情報を通知すべき位置範囲を示す通報エリア３５０として指定され、基地局３００Ａのカバーエリアに存在する携帯電話機に対して、緊急通報信号１５０を送信すべき状態であると仮定する。また、本実施例は、基地局３００Ａのカバーエリアと基地局３００Ｂのカバーエリアとが重複するエリアに携帯電話機４００が位置しており、かつ、携帯電話機４００の通信対象となる基地局は基地局３００Ｂに設定されているものとする。
【００１３】
基地局３００Ａは、エリアメールセンタ２００から緊急通報信号１５０を受信したら、基地局３００Ａに隣接する基地局３００Ｂ，３００Ｃに緊急通報信号１５０を転送する。緊急通報信号１５０には、例えば地震速報などの携帯電話機に通知すべき緊急通報情報と、この緊急通報情報を通知すべき位置範囲を示す通報エリア情報とが含まれる。なお、基地局３００Ａは、基地局３００Ａ内に格納された位置管理テーブルを参照することにより、隣接する基地局を選択して、選択された基地局に緊急通報信号１５０を転送する。
【００１４】
ここで、緊急通報信号のフォーマットの一例について説明する。図２は、緊急通報信号のフォーマットの一例を示す図である。図２に示すように、緊急通報信号１５０は、配信内容１５２と、配信エリア選択１５４と、該当位置情報１５６と、付加情報１５８とを有する。配信内容１５２には、緊急通報情報として、「本文（１行目）」、「本文（２行目以降）」、「情報配信者」、及び「携帯電話での動作」が含まれる。
【００１５】
「本文（１行目）」には例えば「地震速報」などのタイトルが入力される。また、「本文（２行目以降）」には例えば「ＸＸ地区で地震発生、強い揺れに備えてください」などの内容が入力される。「情報配信者」には、緊急通報信号の発信元を特定する情報が入力される。また、「携帯電話での動作」には、緊急通報情報を携帯電話機のユーザに知らせるために携帯電話機で行う動作処理の内容が入力される。動作処理の内容は、例えば緊急通報情報を携帯電話機の表示部に表示させる、アラーム音を携帯電話機のスピーカから出力させる、携帯電話機のバイブレータを振動させるなどである。
【００１６】
配信エリア選択１５４には、緊急通報情報を通知する基地局を特定するために、基地局が設置された市の名称、町の名称、基地局の名称が入力される。該当位置情報１５６には、緊急通報情報を通知すべき位置範囲を示す通報エリア情報が入力される。
【００１７】
通報エリア情報は、例えば「Ｅ１，Ｗ１〜Ｅ２，Ｗ２」のように緯度の範囲と経度の範囲を指定することにより位置範囲を定めることができる。また、通報エリア情報は、緯度の範囲と経度の範囲を指定するだけではなく、例えば、ある緯度経度と、この緯度経度により定まる点を中心とした半径とを指定するなど、様々な指定方法で位置範囲を定めることができる。付加情報１５８には、例えば「津波に注意してください」、「高台に避難してください」など、緊急通報情報に付随して、携帯電話機のユーザに伝えるべき内容が入力される。
【００１８】
図１の説明に戻って、基地局３００Ａは、エリアメールセンタ２００から緊急通報信号１５０を受信したら、緊急通報信号１５０に基づいてショートメッセージ１６０（例えばＣＢＳメッセージ）を生成する。そして、基地局３００Ａは、生成したショートメッセージ１６０を自基地局との通信対象となる携帯電話機にブロードキャストする。
【００１９】
一方、基地局３００Ｂ，３００Ｃは、基地局３００Ａから緊急通報信号１５０を受信したら、緊急通報信号１５０に基づいてショートメッセージ１６０を生成して、ショートメッセージ１６０を自基地局との通信対象となる携帯電話機にブロードキャストする。
【００２０】
ここで、携帯電話機４００は基地局３００Ｂとの通信対象に設定されているので、携帯電話機４００は基地局３００Ｂからブロードキャストされたショートメッセージ１６０を受信する。なお、ショートメッセージ１６０には、例えば地震速報などの、携帯電話機に通知すべき緊急通報情報と、この緊急通報情報を通知すべき位置範囲を示す通報エリア情報とが含まれるものとする。また、以下の説明では、基地局３００Ａ，３００Ｂ，３００Ｃを特に区別しないときには、基地局３００という。本実施例は、基地局３００が緊急通報信号１５０に基づいて生成したショートメッセージ１６０をブロードキャストする例を挙げるが、これには限られない。例えば、受信した緊急通報信号１５０が、携帯電話機に対してそのままのフォーマットで送信し得るものである場合は、受信した緊急通報信号１５０をそのままブロードキャストすることができる。
【００２１】
携帯電話機４００は、ショートメッセージ１６０を受信したら、ショートメッセージ１６０に含まれる通報エリア情報に自携帯電話機の位置情報が含まれる場合には、携帯電話機４００を鳴動させたり、緊急通報情報を表示部に表示させたりする。
【００２２】
以上のように、本実施例の緊急通報システム５００によれば、緊急通報情報を通知すべきエリア内に存在する携帯電話機に適切に緊急通報動作を実行させることができる。すなわち、従来技術では、携帯電話機４００が基地局３００Ａのカバーエリア内に位置しているにも関わらず、通信対象となる基地局が基地局３００Ｂに設定されていたら、携帯電話機４００に対して緊急通報情報が通知されなかった。これに対して、本実施例は、基地局３００Ａが自基地局に隣接する基地局３００Ｂに緊急通報信号１５０を転送し、基地局３００Ｂが緊急通報信号１５０に基づくショートメッセージ１６０をブロードキャストするので、携帯電話機４００に緊急通報情報が通知される。また、携帯電話機４００は、ショートメッセージ１６０に含まれる通報エリア情報に自携帯電話機の位置情報が含まれるか否かを判定して、含まれる場合には、携帯電話機４００を鳴動させたり、緊急通報情報を表示部に表示させたりする。したがって、仮に携帯電話機４００が基地局３００Ａのカバーエリア内に位置しない場合には、ショートメッセージ１６０を受信したとしても、携帯電話機４００を鳴動させたり、緊急通報情報を表示部に表示させたりすることはない。よって、本実施例の緊急通報システム５００は、基地局３００Ａのカバーエリア内に位置する携帯電話機に限って、適切に携帯電話機４００を鳴動させたり、緊急通報情報を表示部に表示させたりすることができる。
【００２３】
次に、携帯電話機４００及び基地局３００の詳細について説明する。図３は、携帯電話機のハードウェア構成を示す図である。図３に示すように、携帯電話機４００は、ＬＣＤ（Liquid Crystal Display）４０２、スピーカ４０４、バイブレータ４０５、ＣＰＵ（Central Processing Unit）４０６、ＧＰＳ（Global Positioning System）４０８、メモリ４１０、及び無線装置４１２を備える。
【００２４】
ＬＣＤ４０２は、文字、画像、地震等の緊急速報などの各種情報を表示する液晶パネルによる出力インターフェースである。スピーカ４０４は、電気信号を物理振動に変換することにより、地震の緊急速報に関するアラーム、音声案内などの各種の音を出力する出力インターフェースである。バイブレータ４０５は、例えば携帯電話機４００の着信をユーザに伝えたり、地震等の緊急速報をユーザに伝えたりする際に用いられたりする振動器である。バイブレータ４０５は、例えばモータの軸に重心を偏らせた重りを取り付け、モータを回転させることで携帯電話機４００を振動させる。なお、本実施例では、携帯電話機４００を振動させる振動器の一例としてバイブレータ４０５を例に挙げたが、これに限られず、携帯電話機４００を振動させるデバイスを用いることができる。
【００２５】
ＣＰＵ４０６は、メモリ４１０に格納された各種プログラムを実行する演算処理部である。ＣＰＵ４０６は、メモリ４１０に格納された各種プログラムを実行することにより、ＬＣＤ４０２、スピーカ４０４、バイブレータ４０５、ＧＰＳ４０８、及び無線装置４１２を制御する。なお、ＣＰＵ４０６で実行されるプログラムは、メモリ４１０に格納されるだけではなく、ＣＤ(Compact  Disc)−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、プログラムの動作に基づくサービスを要求元の携帯電話機４００に提供することもできる。
【００２６】
ＧＰＳ４０８は、ＧＰＳ衛星から送信された電波を受信する電波受信機である。メモリ４１０は、携帯電話機４００の各種機能を実行するためのデータ及びプログラムを格納する記憶媒体であり、例えばデータを格納するＲＯＭ(Read  Only  Memory)と、プログラムを格納するＲＡＭ（Random  Access  Memory）とを有する。
【００２７】
無線装置４１２は、アンテナを介して通信相手の基地局との間で音声や文字などの各種データの無線通信を行う。無線装置４１２は、例えば基地局３００から送信されたショートメッセージ１６０を受信する。
【００２８】
次に、携帯電話機４００の機能ブロックについて説明する。図４は、携帯電話機の機能ブロックを示す図である。図４に示すように、携帯電話機４００は、表示制御部４５２と、アラーム鳴動部４５４と、緊急通報フィルタリング部４５６と、位置情報取得部４５８と、メッセージ受信部４６０と、呼制御部４６２と、無線制御部４６４とを備える。表示制御部４５２、アラーム鳴動部４５４、緊急通報フィルタリング部４５６、及び位置情報取得部４５８は、ＣＰＵ４０６がメモリ４１０から各種プログラムを読み出して実行することによって実現される。また、メッセージ受信部４６０、呼制御部４６２、及び無線制御部４６４は、ＣＰＵ４０６がメモリ４１０から各種プログラムを読み出して実行することによって実現される。
【００２９】
表示制御部４５２は、ＬＣＤ４０２に表示する表示画像に関する制御を実行する。例えば表示制御部４５２は、基地局３００からブロードキャストされたショートメッセージ１６０を受信して緊急通報情報をＬＣＤ４０２に表示すべき場合には、緊急通報情報をＬＣＤ４０２に表示させる制御を行う。例えば、表示制御部４５２は、緊急通報フィルタリング部４５６によって、通報エリア情報に、位置情報取得部４５８で取得された位置情報が含まれると判定されたら、緊急通報情報をＬＣＤ４０２に表示させる制御を行う。つまり、表示制御部４５２は、ショートメッセージ１６０を受信した場合に無条件で緊急通報情報をＬＣＤ４０２に表示させるのではなく、自携帯電話機４００が通報エリア情報によって示される範囲内に位置する場合に、緊急通報情報をＬＣＤ４０２に表示させる。
【００３０】
アラーム鳴動部４５４は、スピーカ４０４から出力される音の制御及びバイブレータ４０５の振動の制御を行う。例えば、アラーム鳴動部４５４は、基地局３００からブロードキャストされたショートメッセージ１６０を受信して緊急通報情報をユーザに伝えるべき場合には、スピーカ４０４からアラーム音を出力させたり、バイブレータ４０５を振動させたりする制御を行う。例えば、アラーム鳴動部４５４は、緊急通報フィルタリング部４５６によって、通報エリア情報に、位置情報取得部４５８で取得された位置情報が含まれると判定されたら、スピーカ４０４からアラーム音を出力させたりバイブレータ４０５を振動させたりする制御を行う。つまり、アラーム鳴動部４５４は、ショートメッセージ１６０を受信した場合に無条件でアラーム鳴動等の処理を行うのではなく、自携帯電話機４００が通報エリア情報によって示される範囲内に位置する場合に、アラーム鳴動等の処理を行う。
【００３１】
緊急通報フィルタリング部４５６は、メッセージ受信部４６０によって受信されたショートメッセージ１６０に含まれる通報エリア情報に、位置情報取得部４５８で取得された位置情報が含まれるか否かを判定する。
【００３２】
位置情報取得部４５８は、ＧＰＳ４０８によって受信されたＧＰＳ衛星からの電波に基づいて、携帯電話機４００の現在位置を検出する。メッセージ受信部４６０は、無線制御部４６４によって受信された各種データの中から、基地局３００から送信されたショートメッセージ１６０を受信する制御を実行する。例えば、メッセージ受信部４６０は、携帯電話機４００に通知すべき緊急通報情報及び該緊急通報情報を通知すべき位置範囲を示す通報エリア情報を含む緊急通報信号１５０を自基地局装置に隣接する基地局装置に転送する第１の基地局装置、又は前記緊急通報信号１５０を転送された第２の基地局装置からブロードキャストされたショートメッセージ１６０を受信する。呼制御部４６２は、無線制御部４６４及び通信対象の基地局３００を介して通信相手の携帯電話機との音声通話を制御する。無線制御部４６４は、無線装置４１２を制御することによって、音声、文字などの各種データの無線通信の制御を実行する。
【００３３】
次に、基地局３００のハードウェア構成について説明する。図５は、基地局のハードウェア構成を示す図である。図５に示すように、基地局３００は、メモリ３０２と、ＣＰＵ３０４と、無線装置３０６とを備える。
【００３４】
メモリ３０２は、基地局３００の各種機能を実行するためのデータ及びプログラムを格納する記憶媒体であり、例えばデータを格納するＲＯＭと、プログラムを格納するＲＡＭとを有する。また、メモリ３０２には、基地局３００が自基地局に隣接する基地局を選択する際に参照される位置管理テーブルが格納される。位置管理テーブルの詳細は後述する。
【００３５】
ＣＰＵ３０４は、メモリ３０２に格納された各種プログラムを実行する演算処理部である。ＣＰＵ３０４は、メモリ３０２に格納された各種プログラムを実行することにより、無線装置３０６を制御する。なお、ＣＰＵ３０４で実行されるプログラムは、メモリ３０２に格納されるだけではなく、ＣＤ−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、プログラムの動作に基づくサービスを要求元の基地局３００に提供することもできる。
【００３６】
無線装置３０６は、アンテナを介して通信相手の基地局や通信相手の携帯電話機との間で音声や文字などの各種データの無線通信を行う。無線装置３０６は、例えば他の基地局の無線装置との間で緊急通報信号１５０の送受信を行ったり、自基地局のカバーエリア内に位置する携帯電話機に対してショートメッセージ１６０をブロードキャストしたりする。
【００３７】
次に、基地局３００の機能ブロックについて説明する。図６は、基地局の機能ブロックを示す図である。図６に示すように、基地局３００は、無線制御部３５２、呼制御部３５４、メッセージ生成部３５６、メッセージ送信部３５７、転送制御部３５８、及び位置管理テーブル３６０を備える。無線制御部３５２、呼制御部３５４、メッセージ生成部３５６、メッセージ送信部３５７、及び転送制御部３５８は、ＣＰＵ３０４がメモリ３０２から各種プログラムを読み出して実行することによって実現される。
【００３８】
無線制御部３５２は、無線装置３０６を制御することによって、音声、文字などの各種データの無線通信の制御を実行する。例えば、無線制御部３５２は、エリアメールセンタ２００又は他の基地局３００から送信された緊急通報信号１５０を受信する。呼制御部３５４は、無線制御部３５２を介して携帯電話機間の音声通話を制御する。
【００３９】
メッセージ生成部３５６は、無線制御部３５２によって受信された緊急通報信号１５０に基づいてショートメッセージ１６０を生成する。ショートメッセージ１６０には、例えば地震速報などの、携帯電話機に通知すべき緊急通報情報と、この緊急通報情報を通知すべき位置範囲を示す通報エリア情報とが含まれる。メッセージ送信部３５７は、メッセージ生成部３５６によって生成されたショートメッセージ１６０を、自基地局の通信対象に設定されている携帯電話機に対してブロードキャストする。例えば、メッセージ送信部３５７は、基地局装置から受信した緊急通報信号１５０の通報エリア情報に自装置の位置情報が含まれるか否かを判定し、通報エリア情報に自装置の位置情報が含まれると判定されたら、緊急通報信号１５０に応じた処理を実行させる携帯電話機に対して、ショートメッセージ１６０をブロードキャストする。
【００４０】
転送制御部３５８は、位置管理テーブル３６０を参照することにより、自装置に隣接する基地局を選択し、選択された基地局に、無線制御部３５２で受信された緊急通報信号１５０を転送する制御を行う。なお、転送制御部３５８は、エリアメールセンタ２００から送信された緊急通報信号１５０を受信した場合に緊急通報信号１５０の転送を行い、他の基地局から転送された緊急通報信号１５０を受信した場合には転送を行わないようにすることもできる。
【００４１】
位置管理テーブル３６０は、複数の基地局の識別子と、この複数の基地局それぞれが緊急通報信号１５０を送信すべき位置範囲を示すカバーエリア情報とが対応付けられたテーブルである。位置管理テーブル３６０は、メモリ３０２に格納される。
【００４２】
次に、位置管理テーブルの一例について説明する。図７は、位置管理テーブルの一例を示す図である。図７に示すように、位置管理テーブル３６０は、基地局名３６２と、カバーエリア３６４と、備考３６６とを有する。基地局名３６２には、各地に点在する複数の基地局を識別する識別子（例えば基地局Ａ，基地局Ｂ・・・）が入力される。また、カバーエリア３６４には、基地局名３６２に入力された複数の基地局の識別子それぞれに対応して、各基地局が緊急通報信号を送信すべき位置範囲を示すカバーエリア情報が入力される。例えば基地局Ａに対応するカバーエリア情報は、「Ｅ１，Ｗ１〜Ｅ２，Ｗ２」のように緯度の範囲と経度の範囲を指定することにより定めることができる。また、カバーエリア情報は、緯度の範囲と経度の範囲を指定するだけではなく、例えば、ある緯度経度と、この緯度経度により定まる点を中心とした半径とを指定するなど、様々な指定方法で位置範囲を定めることができる。備考３６６には、基地局名３６２に入力された複数の基地局の識別子それぞれに対応して、カバーエリア情報以外に入力すべき付随情報があれば、その付随情報が入力される。
【００４３】
次に、緊急通報システムの処理の流れについて説明する。図８は、緊急通報システムのフローチャートを示す図である。図８は、緊急通報システムの処理の一例として、ある基地局Ａのカバーエリア内に位置する携帯電話機に対して緊急通報情報を通知すべき状態であると仮定する。したがって、エリアメールセンタ２００から基地局Ａに対して緊急通報信号１５０が送信されるが、基地局Ａに隣接する基地局Ｂにはエリアメールセンタから緊急通報信号１５０が送信されないものとする。また、基地局Ａの通信対象として携帯電話機Ａが設定されており、基地局Ｂの通信対象として携帯電話機Ｂが設定されているものとする。また、基地局Ａ，Ｂは、上述の基地局３００と同様の構成を有し、携帯電話機Ａ，Ｂは、上述の携帯電話機４００と同様の構成を有するものとする。
【００４４】
まず、エリアメールセンタは、気象庁サーバ１００から送信された緊急通報信号１５０を受信したら、基地局Ａに受信した緊急通報信号１５０を送信する（ステップＳ１０１）。基地局Ａは、エリアメールセンタ２００から緊急通報信号１５０を受信する（ステップＳ１０２）。基地局Ａは、位置管理テーブル３６０を参照して、基地局Ａに隣接する基地局Ｂを選択し、選択された基地局Ｂに緊急通報信号１５０を転送する（ステップＳ１０３）。なお、基地局Ａは、隣接する基地局が複数選択された場合には選択された複数の基地局に対して緊急通報信号１５０を転送する。
【００４５】
続いて、基地局Ａは、受信した緊急通報信号１５０に基づいて、通報エリア情報（Ｅ１，Ｗ１〜Ｅ２，Ｗ２）を含んだショートメッセージ１６０を生成する（ステップＳ１０４）。続いて、基地局Ａは、生成されたショートメッセージ１６０をカバーエリア内の通信対象となる携帯電話機に対してブロードキャストする（ステップＳ１０５）。
【００４６】
一方、基地局Ｂは、基地局Ａから転送された緊急通報信号１５０を受信する（ステップＳ１０６）。基地局Ｂは、受信した緊急通報信号１５０に基づいて、通報エリア情報（Ｅ１，Ｗ１〜Ｅ２，Ｗ２）を含んだショートメッセージ１６０を生成する（ステップＳ１０７）。続いて、基地局Ｂは、生成されたショートメッセージ１６０をカバーエリア内の通信対象となる携帯電話機に対してブロードキャストする（ステップＳ１０８）。
【００４７】
携帯電話機Ａは、基地局Ａからショートメッセージ１６０を受信する（ステップＳ１０９）と、位置情報取得部４５８によって自機器の現在位置を取得する（ステップＳ１１０）。続いて、携帯電話機Ａは、取得された現在位置が通報エリア情報（Ｅ１，Ｗ１〜Ｅ２，Ｗ２）内であるか否かを緊急通報フィルタリング部４５６によって判定する（ステップＳ１１１）。携帯電話機Ａは、取得された現在位置が通報エリア情報（Ｅ１，Ｗ１〜Ｅ２，Ｗ２）内であると判定された場合には（ステップＳ１１１，Ｙｅｓ）、アラームを鳴動させる（ステップＳ１１２）。例えば、携帯電話機Ａは、アラーム音をスピーカ４０４から出力させるとともに、バイブレータ４０５を振動させる。一方、携帯電話機Ａは、取得された現在位置が通報エリア情報（Ｅ１，Ｗ１〜Ｅ２，Ｗ２）内ではないと判定された場合には（ステップＳ１１１，Ｎｏ）、ショートメッセージ１６０を破棄して（ステップＳ１１３）、処理を終了する。
【００４８】
携帯電話機Ｂは、基地局Ｂからショートメッセージ１６０を受信する（ステップＳ１１４）と、位置情報取得部４５８によって自機器の現在位置を取得する（ステップＳ１１５）。続いて、携帯電話機Ｂは、取得された現在位置が通報エリア情報（Ｅ１，Ｗ１〜Ｅ２，Ｗ２）内であるか否かを緊急通報フィルタリング部４５６によって判定する（ステップＳ１１６）。携帯電話機Ｂは、取得された現在位置が通報エリア情報（Ｅ１，Ｗ１〜Ｅ２，Ｗ２）内であると判定された場合には（ステップＳ１１６，Ｙｅｓ）、アラームを鳴動させる（ステップＳ１１７）。つまり、携帯電話機Ｂは、アラーム音をスピーカ４０４から出力させるとともに、バイブレータ４０５を振動させる。一方、携帯電話機Ｂは、取得された現在位置が通報エリア情報（Ｅ１，Ｗ１〜Ｅ２，Ｗ２）内ではないと判定された場合には（ステップＳ１１６，Ｎｏ）、ショートメッセージ１６０を破棄して（ステップＳ１１８）、処理を終了する。
【００４９】
なお、上述の説明では、携帯電話機ＡもしくはＢがショートメッセージ１６０を受信したことに応じて現在位置を取得するように説明したが、これに限られない。例えば、位置情報取得部４５８は本発明の処理とは別個に適宜位置情報を取得して記録しておき、携帯電話機ＡもしくはＢがショートメッセージ１６０を受信したことに応じて、その時点で記録されている位置情報のうち最新の位置情報を自機器の現在位置として取得するように構成してもよい。また、アラーム音の出力やバイブレータの振動以外に、緊急通報情報を表示部に表示させることが考えられる。更には、通報エリア情報に対応するエリアを示す情報を表示することも考えられる。緯度や経度、または対応するエリアを表すマークを付した地図等を表示することで、受信した緊急通報情報の対象エリアを利用者が把握しやすくなる。
【００５０】
以上のように、本実施例の緊急通報システム５００によれば、緊急通報情報をブロードキャストする基地局Ａのカバーエリア内に位置する携帯電話機に、適切に緊急通報動作を実行させることができる。すなわち、本実施例は、基地局Ａは自基地局に隣接する基地局Ｂに緊急通報信号１５０を転送するとともに緊急通報信号１５０に基づくショートメッセージ１６０をブロードキャストする。また、基地局Ｂは緊急通報信号を受信したら、緊急通報信号１５０に基づくショートメッセージ１６０をブロードキャストする。したがって、基地局Ａ，Ｂの通信対象の携帯電話機Ａ，Ｂに緊急通報情報が通知される。また、携帯電話機Ａ，Ｂは、ショートメッセージ１６０に含まれる通報エリア情報に自携帯電話機の位置情報が含まれるか否かを判定して、含まれる場合には、携帯電話機を鳴動させたり、緊急通報情報を表示部に表示させたりする。したがって、仮に携帯電話機Ａ，Ｂが基地局Ａのカバーエリア内に位置しない場合には、ショートメッセージ１６０を受信したとしても、携帯電話機を鳴動させたり、緊急通報情報を表示部に表示させたりすることはない。その結果、本実施例の緊急通報システム５００は、基地局Ａのカバーエリア内に位置する携帯電話機に限って、適切に携帯電話機を鳴動させたり、緊急通報情報を表示部に表示させたりすることができる。
【実施例２】
【００５１】
次に、緊急通報システムの第２実施例の全体構成及び動作の概要を説明する。図９は、緊急通報システムの全体構成及び動作の概要を示す図である。図９に示すように、第２実施例の緊急通報システム６００は、エリアメールセンタ２００と、基地局３００Ａと、基地局３００Ｂと、携帯電話機４００とを備える。本実施例は、気象庁サーバ１００から送信される緊急通報信号１５０をエリアメールセンタ２００が受信し、エリアメールセンタ２００が、基地局３００Ａ及び基地局３００Ａに隣接する基地局３００Ｂに緊急通報信号１５０を転送する場合の一例を示す。また、本実施例は、基地局３００Ａのカバーエリアが緊急通報情報を通知すべき位置範囲を示す通報エリア３５０として指定され、基地局３００Ａのカバーエリアに存在する携帯電話機に対して、緊急通報信号１５０を送信すべき状態であると仮定する。また、本実施例は、基地局３００Ａのカバーエリアと基地局３００Ｂのカバーエリアとが重複するエリアに携帯電話機４００が位置しており、かつ、携帯電話機４００の通信対象となる基地局は基地局３００Ｂに設定されているものとする。
【００５２】
エリアメールセンタ２００は、気象庁サーバ１００から緊急通報信号１５０を受信する。緊急通報信号１５０には、例えば地震速報などの携帯電話機に通知すべき緊急通報情報と、この緊急通報情報を通知すべき位置範囲を示す通報エリア情報とが含まれる。エリアメールセンタ２００は、緊急通報信号１５０に含まれる通報エリア情報に基づいて、緊急通報信号１５０を転送すべき基地局は基地局３００Ａ及び基地局３００Ａに隣接する基地局３００Ｂであると判定する。そして、エリアメールセンタ２００は、緊急通報信号１５０を基地局３００Ａ及び基地局３００Ｂに転送する。なお、エリアメールセンタ２００は、エリアメールセンタ２００内に格納された位置管理テーブルを参照することにより、基地局Ａに隣接する基地局（基地局３００Ｂ）を選択して、基地局Ａ及び選択された基地局に緊急通報信号１５０を転送する。
【００５３】
また、基地局３００Ａは、エリアメールセンタ２００から緊急通報信号１５０を受信したら、緊急通報信号１５０に基づいてショートメッセージ１６０（例えばＣＢＳメッセージ）を生成する。そして、基地局３００Ａは、生成したショートメッセージ１６０を自基地局との通信対象となる携帯電話機にブロードキャストする。
【００５４】
同様に、基地局３００Ｂは、エリアメールセンタ２００から緊急通報信号１５０を受信したら、緊急通報信号１５０に基づいてショートメッセージ１６０（例えばＣＢＳメッセージ）を生成する。そして、基地局３００Ｂは、生成したショートメッセージ１６０を自基地局との通信対象となる携帯電話機にブロードキャストする。
【００５５】
ここで、携帯電話機４００は基地局３００Ｂとの通信対象に設定されているので、携帯電話機４００は基地局３００Ｂからブロードキャストされたショートメッセージ１６０を受信する。なお、ショートメッセージ１６０には、例えば地震速報などの、携帯電話機に通知すべき緊急通報情報と、この緊急通報情報を通知すべき位置範囲を示す通報エリア情報とが含まれるものとする。第２実施例の基地局３００は、第１実施例の基地局３００と同様のハードウェア構成を備える。また、第２実施例の基地局３００は、第１実施例の基地局３００の機能ブロックのうち、転送制御部３５８と位置管理テーブル３６０を備えない点で第１実施例の基地局３００と異なるが、その他の機能ブロックは第１実施例と同様であるので説明を省略する。
【００５６】
携帯電話機４００は、ショートメッセージ１６０を受信したら、ショートメッセージ１６０に含まれる通報エリア情報に自携帯電話機の位置情報が含まれる場合には、携帯電話機４００を鳴動させたり、緊急通報情報を表示部に表示させたりする。携帯電話機４００の構成は、実施例１と同様であるので詳細な説明を省略する。
【００５７】
次に、エリアメールセンタ２００の詳細を説明する。図１０は、エリアメールセンタのハードウェア構成を示す図である。図１０に示すように、エリアメールセンタ２００は、メモリ２０２と、ＣＰＵ２０４と、無線装置２０６とを備える。
【００５８】
メモリ２０２は、エリアメールセンタ２００の各種機能を実行するためのデータ及びプログラムを格納する記憶媒体であり、例えばデータを格納するＲＯＭと、プログラムを格納するＲＡＭとを有する。また、メモリ２０２には、エリアメールセンタ２００が、緊急通報信号を転送すべき第１の基地局に隣接する第２の基地局を選択する際に参照される位置管理テーブルが格納される。位置管理テーブルは図７で説明したものと同様であるので説明を省略する。
【００５９】
ＣＰＵ２０４は、メモリ２０２に格納された各種プログラムを実行する演算処理部である。ＣＰＵ２０４は、メモリ２０２に格納された各種プログラムを実行することにより、無線装置２０６を制御する。なお、ＣＰＵ２０４で実行されるプログラムは、メモリ２０２に格納されるだけではなく、ＣＤ−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、プログラムの動作に基づくサービスを要求元のエリアメールセンタ２００に提供することもできる。
【００６０】
無線装置２０６は、アンテナを介して通信相手の基地局との間で音声や文字などの各種データの無線通信を行う。無線装置２０６は、例えば緊急通報信号を送信すべき基地局と、この基地局に隣接する基地局に対して緊急通報信号１５０を送信する。
【００６１】
次に、エリアメールセンタの機能ブロックについて説明する。図１１は、エリアメールセンタの機能ブロックを示す図である。図１１に示すように、エリアメールセンタ２００は、無線制御部２５２、転送制御部２５８、及び位置管理テーブル２６０を備える。無線制御部２５２及び転送制御部２５８は、ＣＰＵ２０４がメモリ２０２から各種プログラムを読み出して実行することによって実現される。
【００６２】
無線制御部２５２は、無線装置２０６を制御することによって、音声、文字などの各種データの無線通信の制御を実行する。例えば、無線制御部２５２は、気象庁サーバ１００から送信された緊急通報信号１５０を受信する。
【００６３】
転送制御部２５８は、位置管理テーブル２６０を参照することにより、緊急通報信号１５０を転送すべき第１の基地局、及び第１の基地局に隣接する基地局を選択する。例えば、転送制御部２５８は、緊急通報信号１５０に含まれる通報エリア情報と、位置管理テーブル２６０のカバーエリアとに基づいて、緊急通報信号１５０を転送すべき第１の基地局、及び第１の基地局に隣接する基地局を選択する。そして、転送制御部２５８は、選択された基地局に、無線制御部２５２で受信された緊急通報信号１５０を転送する制御を行う。
【００６４】
位置管理テーブル２６０は、複数の基地局の識別子と、この複数の基地局それぞれが緊急通報信号１５０を送信すべき位置範囲を示すカバーエリア情報とが対応付けられたテーブルである。位置管理テーブル２６０は、メモリ２０２に格納される。
【００６５】
次に、第２実施例の緊急通報システムの処理の流れについて説明する。図１２は、緊急通報システムのフローチャートを示す図である。図１２は、緊急通報システムの処理の一例として、ある基地局Ａのカバーエリア内に位置する携帯電話機に対して緊急通報情報を通知すべき状態であると仮定する。また、基地局Ａの通信対象として携帯電話機Ａが設定されており、基地局Ｂの通信対象として携帯電話機Ｂが設定されているものとする。また、携帯電話機Ａ，Ｂは、上述の携帯電話機４００と同様の構成を有するものとする。
【００６６】
まず、エリアメールセンタは、気象庁サーバ１００から送信された緊急通報信号１５０を受信したら、位置管理テーブル２６０を参照して、基地局Ａと、基地局Ａに隣接する基地局Ｂを選択し、基地局Ａと基地局Ｂに対して緊急通報信号１５０を転送する（ステップＳ２０１）。
【００６７】
基地局Ａは、エリアメールセンタ２００から緊急通報信号１５０を受信する（ステップＳ２０２）。続いて、基地局Ａは、受信した緊急通報信号１５０に基づいて、通報エリア情報（Ｅ１，Ｗ１〜Ｅ２，Ｗ２）を含んだショートメッセージ１６０を生成する（ステップＳ２０３）。続いて、基地局Ａは、生成されたショートメッセージ１６０をカバーエリア内の通信対象となる携帯電話機に対してブロードキャストする（ステップＳ２０４）。
【００６８】
一方、基地局Ｂは、エリアメールセンタ２００から転送された緊急通報信号１５０を受信する（ステップＳ２０５）。基地局Ｂは、受信した緊急通報信号１５０に基づいて、通報エリア情報（Ｅ１，Ｗ１〜Ｅ２，Ｗ２）を含んだショートメッセージ１６０を生成する（ステップＳ２０６）。続いて、基地局Ｂは、生成されたショートメッセージ１６０をカバーエリア内の通信対象となる携帯電話機に対してブロードキャストする（ステップＳ２０７）。
【００６９】
携帯電話機Ａは、基地局Ａからショートメッセージ１６０を受信する（ステップＳ２０８）と、位置情報取得部４５８によって自機器の現在位置を取得する（ステップＳ２０９）。続いて、携帯電話機Ａは、取得された現在位置が通報エリア情報（Ｅ１，Ｗ１〜Ｅ２，Ｗ２）内であるか否かを緊急通報フィルタリング部４５６によって判定する（ステップＳ２１０）。携帯電話機Ａは、取得された現在位置が通報エリア情報（Ｅ１，Ｗ１〜Ｅ２，Ｗ２）内であると判定された場合には（ステップＳ２１０，Ｙｅｓ）、アラームを鳴動させる（ステップＳ２１１）。例えば、携帯電話機Ａは、アラーム音をスピーカ４０４から出力させるとともに、バイブレータ４０５を振動させる。一方、携帯電話機Ａは、取得された現在位置が通報エリア情報（Ｅ１，Ｗ１〜Ｅ２，Ｗ２）内ではないと判定された場合には（ステップＳ２１０，Ｎｏ）、ショートメッセージ１６０を破棄して（ステップＳ２１２）、処理を終了する。
【００７０】
携帯電話機Ｂは、基地局Ｂからショートメッセージ１６０を受信する（ステップＳ２１５）と、位置情報取得部４５８によって自機器の現在位置を取得する（ステップＳ２１６）。続いて、携帯電話機Ｂは、取得された現在位置が通報エリア情報（Ｅ１，Ｗ１〜Ｅ２，Ｗ２）内であるか否かを緊急通報フィルタリング部４５６によって判定する（ステップＳ２１７）。携帯電話機Ｂは、取得された現在位置が通報エリア情報（Ｅ１，Ｗ１〜Ｅ２，Ｗ２）内であると判定された場合には（ステップＳ２１７，Ｙｅｓ）、アラームを鳴動させる（ステップＳ２１８）。つまり、携帯電話機Ｂは、アラーム音をスピーカ４０４から出力させるとともに、バイブレータ４０５を振動させる。一方、携帯電話機Ｂは、取得された現在位置が通報エリア情報（Ｅ１，Ｗ１〜Ｅ２，Ｗ２）内ではないと判定された場合には（ステップＳ２１７，Ｎｏ）、ショートメッセージ１６０を破棄して（ステップＳ２１９）、処理を終了する。
【００７１】
なお、上述の説明では、携帯電話機ＡもしくはＢがショートメッセージ１６０を受信したことに応じて現在位置を取得するように説明したが、これに限られない。例えば、位置情報取得部４５８は本発明の処理とは別個に適宜位置情報を取得して記録しておき、携帯電話機ＡもしくはＢがショートメッセージ１６０を受信したことに応じて、その時点で記録されている位置情報のうち最新の位置情報を自機器の現在位置として取得するように構成してもよい。また、アラーム音の出力やバイブレータの振動以外に、緊急通報情報を表示部に表示させることが考えられる。更には、通報エリア情報に対応するエリアを示す情報を表示することも考えられる。緯度や経度、または対応するエリアを表すマークを付した地図等を表示することで、受信した緊急通報情報の対象エリアを利用者が把握しやすくなる。
【００７２】
以上のように、本実施例の緊急通報システム６００によれば、緊急通報情報をブロードキャストする基地局Ａのカバーエリア内に位置する携帯電話機に、適切に緊急通報動作を実行させることができる。すなわち、本実施例は、エリアメールセンタ２００が、緊急通報信号を転送すべき基地局Ａだけではなく、基地局Ａに隣接する基地局Ｂにも緊急通報信号１５０を転送する。そして、基地局Ａ，Ｂは緊急通報信号１５０に基づくショートメッセージ１６０をブロードキャストする。したがって、基地局Ａ，Ｂの通信対象の携帯電話機Ａ，Ｂに緊急通報情報が通知される。また、携帯電話機Ａ，Ｂは、ショートメッセージ１６０に含まれる通報エリア情報に自携帯電話機の位置情報が含まれか否かを判定して、含まれる場合には、携帯電話機を鳴動させたり、緊急通報情報を表示部に表示させたりする。したがって、仮に携帯電話機Ａ，Ｂが基地局Ａのカバーエリア内に位置しない場合には、ショートメッセージ１６０を受信したとしても、携帯電話機を鳴動させたり、緊急通報情報を表示部に表示させたりすることはない。その結果、本実施例の緊急通報システムは、基地局Ａのカバーエリア内に位置する携帯電話機に限って、適切に携帯電話機を鳴動させたり、緊急通報情報を表示部に表示させたりすることができる。
【００７３】
なお、上記実施例は、主に携帯電話機、基地局、及び緊急通報システムを中心に説明したが、これに限らず、あらかじめ用意された通報制御プログラムをコンピュータで実行することによって、上述の実施例と同様の機能を実現することができる。すなわち、通報制御プログラムは、電子装置に、基地局装置から送信された通報情報及び該通報情報を通知すべき位置範囲を示す通報エリア情報を含む通報信号を受信する処理を実行させる。また、緊急通報制御プログラムは、電子装置に、自装置の位置情報を取得する処理を実行させる。また、緊急通報制御プログラムは、電子装置に、前記受信された通報信号の通報エリア情報に、前記取得された位置情報が含まれるか否かを判定する処理を実行させる。また、緊急通報制御プログラムは、電子装置に、前記通報エリア情報に前記取得された位置情報が含まれると判定されたら、前記通報情報に応じた処理を実行させる。なお、通報制御プログラムは、インターネットなどの通信ネットワークを介してコンピュータに配布することができる。また、通報制御プログラムは、電子装置に設けられたメモリ、ハードディスク、その他のコンピュータで読み取り可能な記録媒体に記録され、コンピュータによって記録媒体から読み出されることによって実行することもできる。
【符号の説明】
【００７４】
１５０  緊急通報信号
１６０  ショートメッセージ
２００  エリアメールセンタ
２５８，３５８  転送制御部
２６０，３６０  位置管理テーブル
３００  基地局
３５６  メッセージ生成部
３５７  メッセージ送信部
３６４  カバーエリア
４００  携帯電話機
４５２  表示制御部
４５４  アラーム鳴動部
４５６  緊急通報フィルタリング部
４５８  位置情報取得部
５００，６００  緊急通報システム
【図１】
2012244472.tif 000003
【図２】
2012244472.tif 000004
【図３】
2012244472.tif 000005
【図４】
2012244472.tif 000006
【図５】
2012244472.tif 000007
【図６】
2012244472.tif 000008
【図７】
2012244472.tif 000009
【図８】
2012244472.tif 000010
【図９】
2012244472.tif 000011
【図１０】
2012244472.tif 000012
【図１１】
2012244472.tif 000013
【図１２】
2012244472.tif 000014